(57)【特許請求の範囲】
【請求項１】
本体と、駆動体と、ラチェット装置と、方向切換えスイッチとを備えたラチェットレンチであって、
前記本体はシャンク部とヘッド部とを備え、前記ヘッド部は前記シャンク部の一端に形成され、前記ヘッド部に収容穴を内設し、前記ヘッド部は前記シャンク部の近傍場所に前記収容穴に連絡する２つの制限溝と、一つの横向きの受入穴を設け、前記受入穴は前記２つの制限溝の間に位置し、かつ前記受入穴は一部の外周を前記２つの制限溝に内設し互い連絡を形成され、
前記駆動体を前記収容穴に設け、前記駆動体の外周に歯部を設け、内周に揺動部を設けられ、
前記ラチェット装置は、２つの制動具を備え、前記２つの制動具は、前記２つの制限溝にそれぞれ内設され、各々の制動具の一端につめを備え、前記制動具の前記つめは前記駆動体の前記駆動体の歯部に歯合され、各々の制動具の一側面に接平面が設けられ、前記接平面の前記つめの遠端に係止面を形成され、前記接平面は前記受入穴に対応し、各制動具と各制限溝との間に弾性部がそれぞれ設けられ、
前記方向切換えスイッチは位置固定部と、制動部とを備え、前記位置固定部は前記受入穴で回転自在に設けられ、前記位置固定部の外縁は各々の制動具の前記接平面に係止し固定することができ、前記揺動部によって前記位置固定部の回転を制御し、前記位置固定部は選択により２つの制動具のいずれかを押圧し、前記駆動体を引き離す構成としてなるラチェットレンチ。
【請求項２】
前記位置固定部は押圧面と係止部とを備え、前記押圧面と前記係止部は前記方向切換えスイッチが前記収容穴の反対面に形成され、前記押圧面は選択によりいずれか１つの制動具を押圧し、前記駆動体の前記歯部を引き離し、前記係止部によって２つの制動具を係止することを特徴とする請求項１記載のラチェットレンチ。
【請求項３】
前記ヘッド部の一側面の内周に前記係止部を繞設し、前記収容穴は前記ヘッド部の第２側面に輪状凹部と係合溝を設け、前記係合溝は前記輪状凹部の内周に設けられ、前記本体はさらにキャップと留めリングとを備え、前記キャップの外縁に前記留めリングを掛着するための凹み溝を設けられ、前記留めリングは前記本体の前記ヘッド部の前記係合溝に掛着できることを特徴とする請求項２記載のラチェットレンチ。
【請求項４】
前記位置固定部に引っ掛け部と前記凹み溝を備え、前記引っ掛け部は前記位置固定部が前記揺動部の反対端に位置され、前記凹み溝を前記引っ掛け部に繞設し、前記留めリングは前記位置固定部の前記凹み溝に設けることを特徴とする請求項３記載のラチェットレンチ。
【請求項５】
前記ヘッド部は前記シャンク部の近傍場所に固定穴をさらに有し、前記固定穴は位置決め装置の取付けに備え、前記揺動部の底面は前記固定穴に対向して２つの固定溝を設けられ、前記位置決め装置は弾性に２つの前記固定溝のいずれかに固定することができることを特徴とする請求項１記載のラチェットレンチ。
【請求項６】
前記位置決め装置は固定部と弾性部とを備え、前記弾性部を前記固定穴の底部と前記固定部との間に設け、前記固定部を弾性に王圧させ固定溝に係合することを特徴とする請求項５記載のラチェットレンチ。
【請求項７】
前記ヘッド部は第１側面と第２側面とを備え、前記ヘッド部の前記第１側面は前記シャンク部の近傍場所に切欠きを設け、前記切欠きを一側面の端面に形成し前記揺動部の取付けに備え、前記切欠きの両側に固定係止面をそれぞれ設け、前記揺動部を２つの前記固定係止面に制限することを特徴とする請求項１記載のラチェットレンチ。
【請求項８】
各々の制動具は、前記本体の付近端はさらに案内面を設けることによって、各々の制動具は前記留めリングを避けられることを特徴とする請求項３記載のラチェットレンチ。
【請求項９】
前記制限溝と前記受入穴の断面は円形を形成し、２つの前記制限溝の開口部の延長方向は互いに引き離されていることを特徴とする請求項１記載のラチェットレンチ。
【請求項１０】
前記受入穴と２つの前記制限溝との交わる場所に連結部をそれぞれ形成され、前記連結部は前記制限溝と前記受入穴に位置し、２つの制動具は前記連結部に位置されず、前記位置固定部両側の一部の外周を２つの前記連結部に位置することを特徴とする請求項１記載のラチェットレンチ。
【発明の詳細な説明】
【技術分野】
【０００１】
本発明は一種のラチェットレンチに関し、特に一種のつめと歯部の不適切な歯合位置による歯崩れを防止できるラチェットレンチに関する。
【背景技術】
【０００２】
発明者が以前に発明された中華民国特許証書第Ｍ３４４９４５号（特許文献１）ラチェットレンチを参照する。その特徴は２つの制動具を２つの誘導溝にそれぞれ設け、制御部材を揺動することにより、押圧面をそのうち一つの制動具に押し込むと同時に、ラチェットの係止が解除される。
【先行技術文献】
【特許文献】
【０００３】
【特許文献１】中華民国特許証書第Ｍ３４４９４５号
【発明の概要】
【発明が解決しようとする課題】
【０００４】
前述ラチェットレンチは市場での評判が極めて良く消費者に歓迎されている。しかし、発明者はこれに満足せず絶えずに進歩を求め、係止部材とラチェットとの歯合効果を向上できるほか操作の便利制を図るため、発明者は一種の係止部材を係止でき係止部材を案内溝に沿って軸方向に摺動させるだけでラチェットレンチの使用寿命を延長でき消費者により良く実用の製品提供を図る。
【０００５】
本発明で解決を図る技術問題は前記した既存技術の欠点について、一種のラチェットレンチを提供する。
【課題を解決するための手段】
【０００６】
本発明の主な目的は、方向切り替えスイッチの位置固定部両側の外縁を２つの制動具の接平面に係止し、２つの制動具を制限溝にて自転させないように、２つの制動具のつめを駆動体の歯部と確実に歯合させ、つめと歯部の不適切な歯合位置による歯崩れを防止する。
【０００７】
本発明次の目的は、２つの制限溝と受入穴はそれぞれ２つの制動具と方向切換えスイッチの取付けに備え、本体ヘッド部の内部に空間ロスがないため、ヘッド部が高いトルクによって折れる恐れはなく、ヘッド部の構造強度を維持する。
【図面の簡単な説明】
【０００８】
【図１】本発明によるラチェットレンチの立体外観図である。
【図２】本発明によるラチェットレンチの立体分解図である。
【図３】本発明のラチェットレンチもう一つの視角による立体分解図である。
【図４】本発明による図１に示す４−４断面線に沿った断面図である。
【図５】本発明による図１に示す５−５断面線に沿った断面図である。
【図６】本発明による図５に示す６−６断面線に沿った断面図である。
【図７】本発明による図５に示す７−７断面線に沿った断面図である。
【図８】本発明による図４に示す８−８断面線に沿った断面図である。
【図９】本発明図４の続き、第２位置を示す図である。
【図１０】本発明図５の続き、第２位置を示す図である。
【図１１】本発明図７の続き、第２位置を示す図である。
【発明を実施するための形態】
【実施例】
【０００９】
図１ないし３、本発明によるラチェットレンチの立体外観図と立体分解図を参照する。本発明によるラチェットレンチは主に、本体１０と、駆動体２０と、ラチェット装置３０と、方向切換えスイッチ４０とを備える。
【００１０】
そのうち、本体１０にシャンク部１１を有し、シャンク部１１は細長い状に形成して使用者の握持に備える。シャンク部１１の一端にヘッド部１２を形成され、ヘッド部１２は互いに向き合う第１側面１２１と第２側面１２２を有し、ヘッド部１２に２つの側面１２１、１２２を貫通する収容穴１３を設け、かつ収容穴１３はヘッド部１２の第１側面１２１近傍の内縁に係止部１３１が繞設され、収容穴１３はヘッド部１２の第２側面１２２に輪状凹部１３２と係合溝１３３を設けられ、輪状凹部１３２をヘッド部１２端面に形成し、係合溝１３３を輪状凹部１３２の内周に形成する。
【００１１】
本体１０のヘッド部１２はシャンク部１１の付近場所に２つの制限溝１４と、一つの切欠き１５と受入穴１６と、固定穴１７とを設けられ、制限溝１４と受入穴１６の断面は円形を形成し、前述２つの制限溝１４と受入穴１６は収容穴１３に連絡され、２つの制限溝１４の開口部の延在方向は互いに引き離され、切欠き５をヘッド部１２第１側面１２１の端面に形成し、切欠き１５の両側に制限係止面１５１がそれぞれ形成されている。受入穴１６と固定穴１７を切欠き１５に形成され、受入穴１６は２つの制限溝１４の間に位置し、かつ受入穴１６の一部の外部周縁は２つの制限溝１４の内部で連絡され、受入穴１６と２つの制限溝１４との連絡場所に連結部Ａ（図５）をそれぞれ形成し、連結部Ａは制限溝１４と受入穴１６に位置する。固定穴１７は受入穴１６の収容穴１３の反対側に位置し、固定穴１７は位置決め装置１８の取付けに備える。位置決め装置１８は固定部１８１と、弾性部１８２とを備え、弾性部１８２は固定穴１７の底部と固定部１８１との間に設けられ、弾性に固定部１８１を外向きにあてがうことにして固定部１８１を方向切換えスイッチ４０に係合させる。
【００１２】
駆動体２０は本体１０ヘッド部１２の収容穴１３に内設され、相対的な回転関係を形成し駆動体２０の一側面を収容穴１３の係止部１３１に係止させる。駆動体２０の外周に歯部２１が繞設され、駆動体２０の内周に工作物を揺動するための揺動部２２が設けられている。
【００１３】
本体１０はさらにキャップ１０１と留めリング１０２とを含み、キャップ１０１の外縁部に留めリング１０２を掛着するための凹み溝１０３を含み、留めリング１０２は本体１０ヘッド部１２の係合溝１３３に組み込み取付けができ、駆動体２０の両側を係止部１３１とキャップ１０１との間に係止し制限しておく。
【００１４】
図４ないし８を参照する。ラチェット装置３０は２つの制動具３１を備え、２つの制動具３１を前述２つの制限溝１４にそれぞれ設け、各々の制動具３１と各々の制限溝１４との間に弾性部３３をそれぞれ設け、弾性部３３は各々の制動具３１を推し進めることができる。各々の制動具３１は制限溝１４に沿って軸方向に摺動することができる。
【００１５】
１つの制動具３１の一端につめ３１１を備え、つめ３１１と駆動体２０の歯部２１を互いに対応させ歯合関係を形成する。さらに、制動具３１は弾性部３３の弾性押圧を受け、つめ３１１を駆動体２０の歯部２１に歯合させる。制動具３１の外側に接平面３１２と案内面３１３とを設けられ、接平面３１２は制動具３１が受入穴１６に対向する一側面に形成され、かつ接平面３１２はつめ３１１の遠端に係止面３１２１が形成されている。案内面３１３は制動具３１がヘッド部１２の第２側面１２２に対向して形成されているため、制動具３１は留めリング１０２を避けて駆動体２０に留めることができる。制動具３１を制限溝１４に設け、接平面３１２によって、制動具３１を制限溝１４と受入穴１６との間の連結部Ａに位置していない。
【００１６】
他の１つの制動具３１にもつめ３１１と、接平面３１２と、案内面３１３と、係止面３１２１とが設けられている。２つの制動具３１の構造がほぼ同じであり、２つの制動具３１は、駆動体２０を異なる２つの回転方向にそれぞれ係止することができる。前記制動具３１を制限溝１４に設け、接平面３１２によって、制動具３１を制限溝１４と受入穴１６との間の連結部Ａに位置していない。
【００１７】
方向切換えスイッチ４０は位置固定部４１と制動部４２とを備え、位置固定部４１と制動部４２はＬ形を形成し、位置固定部４１は受入穴１６において回転自在に設けられ、かつ位置固定部４１両側の一部の外縁は制限溝１４と受入穴１６の連結部Ａに位置させ、２つの制動具３１を係止し固定する。制動部４２を切欠き１５の端面に設け、制動部４２によって位置固定部４１の回転を制御し、制動部４２は２つの制限係止面１５１の間に制限される。
【００１８】
位置固定部４１に引っ掛け部４１１と、凹み溝４１２と、押圧面４１３と、係止部４１４とを備える。引っ掛け部４１１は位置固定部４１が制動部４２の反対端に位置し、凹み溝４１２は引っ掛け部４１１に設けられ、凹み溝４１２は留めリング１０２の掛着に備え、方向切換えスイッチ４０を掛着しておき、抜け出しを防止する。押圧面４１３と係止部４１４は方向切換えスイッチ４０が収容穴１３の反対面に形成され、押圧面４１３は選択によりいずれか１つの制動具３１を押圧し、駆動体２０の歯部２１を引き離すことができる。係止部４１４は制限溝１４と受入穴１６との連結部Ａに位置し、２つの制動具３１を係止し固定することができる。
【００１９】
制動部４２を切欠き１５の端面に貼り付けられ、かつ制動部４２の底面に２つの固定溝４２１を設ける。２つの固定溝４２１は制動部４２底面の両側に位置し、固定溝４２１は位置決め装置１８の固定部１８１に対応して掛け合い、方向切換えスイッチ４０を２つの異なる切換え位置に固定することができる。
【００２０】
方向切換えスイッチ４０を右へ第１位置に切換えたとき、位置決め装置１８は方向切換えスイッチ４０左側の固定溝４２１に固定され、方向切換えスイッチ４０の位置固定部４１の押圧面４１３が制動具３１の係止面３１２１を押さえ込むことにより制動具３１は駆動体２０の歯部２１から引き離される。このとき、駆動体２０は本体１０の時計方向に回転されるため、本体１０を逆時計方向に揺動させ、工作物を揺動することができる。制動具３１は方向切換えスイッチ４０の押圧面４１３の押圧を受けて内側に引き込み駆動体２０より引き離す。制動具３１の接平面３１２によって位置固定部４１の外周面に係止され、制動具３１は制限溝１４で自転できないため、制動具３１のつめ３１１は駆動体２０の歯部２１をずれることなく照準でき、不適切な歯合による歯崩れを防止できる。
【００２１】
図９ないし１１を参照する。方向切換えスイッチ４０を左へ第２位置に切換えたとき、位置決め装置１８は方向切換えスイッチ４０右側の固定溝４２１に固定され、方向切換えスイッチ４０の位置固定部４１の押圧面４１３によって他の１つの制動具３１の係止面３１２１を押さえ込むことにより、その制動具３１を駆動体２０の歯部２１より引き離す。このとき、駆動体２０は本体１０に対して逆時計方向に回転されるため、本体１０を時計方向に揺動させ工作物を揺動することができる。その制動具３１は方向切換えスイッチ４０の押圧面４１３の押圧を受けて内側に引き込み駆動体２０より引き離す。その制動具３１の接平面３１２によって位置固定部４１の外周面に係止され。その制動具３１を制限溝１４で自転することができないため、その制動具３１のつめ３１１を駆動体２０の歯部２１からずれることなく照準でき、不適切な歯合による歯崩れを防止できる。
【符号の説明】
【００２２】
１０ 本体
１１ シャンク部
１２ ヘッド部
１２１ 第１側面
１２２ 第２側面
１３ 収容穴
１３１ 係止部
１３２ 輪状凹部
１３３ 係合溝
１４ 制限溝
１５ 切欠き
１５１ 制限係止面
１６ 受入穴
１７ 固定穴
１８ 位置決め装置
１８１ 固定部
１８２ 弾性部
１０１ キャップ
１０２ 留めリング
１０３ 凹み溝
２０ 駆動体
２１ 歯部
２２ 揺動部
３０ ラチェット装置
３１ 第１制動具
３１１ つめ
３１２ 接平面
３１２１ 係止面
３１３ 案内面 
３３ 弾性部
４０ 方向切換えスイッチ
４１ 位置固定部
４１１ 引っ掛け部
４１２ 凹み溝
４１３ 押圧面
４１４ 係止部
４２ 制動部
４２１ 固定溝
Ａ 連結部
【図１】
0005356489.tif 000002
【図２】
0005356489.tif 000003
【図３】
0005356489.tif 000004
【図４】
0005356489.tif 000005
【図５】
0005356489.tif 000006
【図６】
0005356489.tif 000007
【図７】
0005356489.tif 000008
【図８】
0005356489.tif 000009
【図９】
0005356489.tif 000010
【図１０】
0005356489.tif 000011
【図１１】
0005356489.tif 000012